(57)【要約】【課題】遠隔地にいる行事開催者が入力手段により入力し、開催者に代わって、自動的に行事開催時間の天候、風速等入力データを基に、予定行事の実施可否を決定し、指定時間に携帯端末等に連絡してくれる予定行事実施可否決定システムを提供する。【解決手段】予定行事実施可否決定システムは、予め登録された会員が開催予定の行事情報を送信し、情報提供業者から送信される行事実施可否情報を受信する行事情報送受信手段２と、上記行事情報に基づき、外部関係機関記憶手段３に記憶する行事開催予定時間の天候、風速等の気象情報を取り込み、予定行事実施可否を決定する行事情報収集演算手段４と、この決定した行事実施可否情報を会員が指定した時間に行事情報送受信手段２に送信する行事関連情報送信手段５とを有する。【選択図】  図１
2004164198.tif 000002
【特許請求の範囲】
【請求項１】
予め登録された会員が開催予定の行事の日時、場所、開催内容等の行事情報を入力して送信し、予定行事実施可否情報提供業者から送信される行事実施可否情報を受信する行事情報送受信手段と、
予定行事実施可否情報提供業者が管理し、前記行事情報に基づき、外部関係機関が外部関係機関記憶手段に記憶する行事開催予定時間の天候、風速等の気象情報を取り込み、自動的にこの気象情報に基づき予定行事実施可否を決定する行事情報収集演算手段と、この行事情報収集演算手段が決定した行事実施可否情報を会員が指定した時間に前記行事情報送受信手段に送信する行事関連情報送信手段とを有することを特徴とする予定行事実施可否決定システム。
【請求項２】
請求項１に記載の予定行事実施可否決定システムにおいて、前記記憶手段に記載される気象情報は、シミュレーションによって予想された気象情報であることを特徴とする予定行事実施可否決定システム。
【請求項３】
請求項１または２に記載の予定行事実施可否決定システムにおいて、
会員が所定の場所から予定行事開催会場へ移動する移動手段の移動手段情報を入力することにより、この移動手段情報に基づき、外部関係機関が記憶手段に記憶する移動手段が移動に影響を受ける移動影響情報を取り込み、移動手段により会員が現在地から予定行事開催会場に到達するまでの時間を演算し、会員が予め指定時間では連絡が遅い場合は、移動手段が要する時間を演算して、連絡時間を修正し、行事情報送受信手段に行事実施可否情報を送信する連絡時間変更手段を有することを特徴とする予定行事実施可否決定システム。
【請求項４】
請求項１ないし３のいずれか１項に記載の予定行事実施可否決定システムにおいて、行事情報を入力した会員の位置情報をＧＰＳにより自動的に検出する会員位置確認手段を有することを特徴とする予定行事実施可否決定システム。
【請求項５】
請求項４に記載の予定行事実施可否決定システムにおいて、上記会員が行事情報を行事情報送受信手段に入力する時の位置と、出発する位置が異なっても、別個に位置を登録できる位置情報登録手段を有することを特徴とする予定行事実施可否決定システム。
【請求項６】
請求項１ないし５のいずれか１項に記載の予定行事実施可否決定システムにおいて、行事情報に行事内容情報を含ませ、この行事内容によって、行事実施可否決定の判断レベルを変える判断レベル変更手段を有することを特徴とする予定行事実施可否決定システム。
【請求項７】
請求項１ないし６のいずれか１項に記載の予定行事実施可否決定システムにおいて、行事開催場所を撮像し、この画像情報を、行事関連情報送信手段を介して行事情報送受信手段に送信する画像情報送信手段を有することを特徴とする予定行事実施可否決定システム。
【発明の詳細な説明】
【０００１】
【発明の属する技術分野】
本発明は予定行事実施可否決定システムに係わり、特に行事の開催を予定していた場合、その場所の天候等により実施可否の判断を自動的に行う予定行事実施可否決定システムに関する。
【０００２】
【従来の技術】
従来、行事開催者あるいは幹事は、自宅から遠方において、特に屋外で行事を行う場合、前日から現地の天気、交通機関の状況を確認し行事参加者をはじめ関係者に連絡をする等に手間が掛かりかつ、関係者の移動時間等を考慮し実施あるいは中止（実施可否）の判断を行うために、かなりの早起きを強いられ、大きな負担になっていた。また、最悪の場合は、とりあえず現地に出向き実施可否の判断をする必要があり、開催者あるいは幹事は、大変な労力を費やしていた。これを解決する手段として、電話等を利用する判断情報の入手は行われていた。
【０００３】
また、観戦するスポーツ行事などの実施可否状況などを任意の地点で携帯機器に表示する情報表示システムがある（例えば、特許文献１）。しかしながら、この特許文献１に記載の情報表示システムは、開催者が決定した実施可否情報を、利用者が携帯する携帯機器により知るシステムであり、遠隔地にいる行事開催者が入力手段により入力し、行事開催者に代わって、自動的に行事開催時間の天候、風速等を考慮して、予定行事の実施可否を決定し、指定時間に携帯電話、ＰＤＡ等の携帯端末またはパソコン等に連絡してくれる予定行事実施可否決定システムではない。
【０００４】
【特許文献１】
特開２００２−６３３０１号公報（第３頁段落番号［０００５］、第６頁段落番号［００２７］、図１）
【０００５】
【発明が解決しようとする課題】
本発明は上述した事情を考慮してなされたもので、遠隔地におり会員である行事開催者あるいは幹事が、入力手段により入力し、開催者あるいは幹事に代わって、自動的に行事開催時間の天候、風速等入力データを基に、予定行事の実施可否を決定し、指定時間に携帯電話、ＰＤＡ等の携帯端末またはパソコン等に連絡してくれ、実施可否の決定を行うために現地との電話連絡、交通機関の状態調査等の手間が省けて、確実に情報が入手できる予定行事実施可否決定システムを提供することを目的とする。
【０００６】
【課題を解決するための手段】
上記目的を達成するため、本発明の１つの態様によれば、予め登録された会員が開催予定の行事の日時、場所、開催内容等の行事情報を入力して送信し、予定行事実施可否情報提供業者から送信される行事実施可否情報を受信する行事情報送受信手段と、予定行事実施可否情報提供業者が管理し、前記行事情報に基づき、外部関係機関が外部関係機関記憶手段に記憶する行事開催予定時間の天候、風速等の気象情報を取り込み、自動的にこの気象情報に基づき予定行事実施可否を決定する行事情報収集演算手段と、この行事情報収集演算手段が決定した行事実施可否情報を会員が指定した時間に前記行事情報送受信手段に送信する行事関連情報送信手段とを有することを特徴とする予定行事実施可否決定システムが提供される。これにより、遠隔地にいる行事開催者が入力手段により入力し、開催者に代わって、自動的に行事開催時間の天候、風速等入力データを基に、予定行事の実施可否を決定し、指定時間に携帯電話、ＰＤＡ等の携帯端末またはパソコン等に連絡してくれ、実施可否の決定を行うために現地との電話連絡、交通機関の状態調査等の手間が省けて、確実に情報が入手できる予定行事実施可否決定システムが提供される。
【０００７】
好適な一例では、前記記憶手段に記載される気象情報は、シミュレーションによって予想された気象情報である。これにより、より的確な気象予測が得られ、正確な判定情報が提供される。
【０００８】
また、他の好適な一例では、会員が所定の場所から予定行事開催会場へ移動する移動手段の移動手段情報を入力することにより、この移動手段情報に基づき、外部関係機関が記憶手段に記憶する移動手段が移動に影響を受ける移動影響情報を取り込み、移動手段により会員が現在地から予定行事開催会場に到達するまでの時間を演算し、会員が予め指定時間では連絡が遅い場合は、移動手段が要する時間を演算して、連絡時間を修正し、行事情報送受信手段に行事実施可否情報を送信する連絡時間変更手段を有する。これにより、交通異常が発生している場合等には、予定時間より早めの連絡を受けることもでき、遅刻等も軽減される。
【０００９】
また、他の好適な一例では、行事情報を入力した会員の位置情報をＧＰＳにより自動的に検出する会員位置確認手段を有する。これにより、会員位置を的確に把握できて、会員の行事会場への到達必要時間を算出でき、連絡時間の修正を行える。
【００１０】
また、他の好適な一例では、上記会員が行事情報を行事情報送受信手段に入力する時の位置と、出発する位置が異なっても、別個に位置を登録できる位置情報登録手段を有する。これにより、会員の行事会場への到達必要時間を算出でき、的確に希望時間に連絡でき、さらに、的確に連絡時間の修正も行える。
【００１１】
また、他の好適な一例では、行事情報に行事内容情報を含ませ、この行事内容によって、行事実施可否決定の判断レベルを変える判断レベル変更手段を有する。これにより、より木目細かな行事実施可否判定が実現される。
【００１２】
また、他の好適な一例では、行事開催場所を撮像し、この画像情報を、行事関連情報送信手段を介して行事情報送受信手段に送信する画像情報送信手段を有する。これにより、行事開催場所の現状の状況を動画、静止画等で確認し、より正確な最終決断を下せる。
【００１３】
【発明の実施の形態】
以下、本発明に係わる予定行事実施可否決定システムの実施形態について添付図面を参照して説明する。
【００１４】
図１は本発明に係わる予定行事実施可否決定システムの概念図である。
【００１５】
図１に示すように、本発明に係わる予定行事実施可否決定システム１は、予め登録された会員が開催予定の行事の日時、場所、開催内容等の行事情報を入力して送信し、予定行事実施可否情報提供業者（以下情報提供業者という。）から送信される行事実施可否情報を受信する会員からの行事情報送受信手段２と、情報提供業者が管理し、行事情報に基づき、外部関係機関が管理する外部関係機関記憶手段３に記憶する行事開催予定時間の天候、風速等の気象情報を取り込み、自動的にこの気象情報に基づき予定行事実施可否を決定する行事情報収集演算手段４と、この行事情報収集演算手段４が決定した行事実施可否情報を会員が指定した時間に、行事情報送受信手段２に送信する行事関連情報送信手段５とを有する。
【００１６】
上記行事情報送受信手段２は、携帯電話、ＰＤＡ等の携帯端末、パソコン、デジタルテレビ等であってもよいが、携帯利便性、移動先から行事参加予定者への連絡利便性から携帯電話が好ましい。
【００１７】
外部関係機関記憶手段３は、外部関係機関としての気象庁および民間の気象情報提供会社が管理し、最新の気象情報および行事開催時刻の天候シミュレーションして得られた気象情報を記憶するサーバの記憶装置３ａ、交通情報センターが管理し、最新の渋滞情報、電車運行情報等を記憶するサーバの記憶装置３ｂにより形成される。
【００１８】
上記行事情報収集演算手段４は、情報提供業者が管理し、予め記憶装置に記憶された行事毎の行事実施可否（実施・中止）を判定する判定基準データと外部関係機関記憶手段３から取り込んだ気象情報データを比較して、行事実施可否を判定する。また、行事情報収集演算手段４には、会員データ記憶手段６ａを有する会員確認演算手段６および、会員位置確認手段７を介して、上記行事情報の他に会員位置情報が送信される。会員確認演算手段６は、上記行事情報送信時、会員データ記憶手段６ａから会員データを呼び出し、行事情報と同時に送信される会員番号と照合し、会員であるか否かの判定をするものである。
【００１９】
会員位置確認手段７は、行事情報送受信手段２からの行事情報受信時、あるいは、ＧＰＳ基地局８による位置情報の検索により、位置情報を受信して位置を確認し、確認された位置は行事情報収集演算手段４を介して、位置情報として位置情報登録手段９に送信され、その記憶装置に記憶される。
【００２０】
また、位置情報登録手段９は、会員が行事情報を行事情報送受信手段への入力時の位置と、出発する位置が異なっても、別個に位置を登録できるようになっている。
【００２１】
さらに、連絡時間変更手段１０は、行事情報収集演算手段４から会員が利用する移動手段情報が送信されるようになっており、会員が所定の場所から予定行事開催会場へ移動する自動車、電車等の移動手段を入力することにより、この移動手段情報に基づき、外部関係機関記憶手段３に記憶する移動手段が、移動に影響を受ける移動影響情報を取り込み、移動手段により、会員が現在地から予定行事開催会場に到達するまでの時間を演算し、会員が予め指定した指定時間では連絡が遅い場合は、移動手段が要する時間を演算して、連絡時間を修正し、行事情報送受信手段２に行事実施可否情報を送信するようになっている。
【００２２】
また、判定レベル変更手段１１は、行事情報収集演算手段４から行事内容情報が送信されるようになっており、判定レベル変更手段１１は、行事情報に行事内容情報を含ませることにより、その行事内容によって、行事実施可否決定の判定レベルを変えることができる。
【００２３】
また、画像情報送信手段１２は、行事情報収集演算手段４に画像情報を送信するようになっており、画像情報送信手段１２が撮像した行事開催場所の画像情報は行事情報収集演算手段４に送信される。画像情報送信手段１２は、テレビカメラあるいはデジタルカメラのような撮像手段１２ａと情報送信手段１２ｂ等からなっている。
【００２４】
上記行事関連情報送信手段５は、行事情報収集演算手段４から送信される行事可否決定情報等を通信業者が管理する情報提供装置１３を介して、行事情報送受信手段２に送信するものである。
【００２５】
なお、図２に示す情報提供サーバＳは、ＣＰＵＳ１、記憶装置Ｓ２および通信インターフェイスＳ３を有しており、行事情報収集演算手段４、行事関連情報送信手段５、会員確認演算手段６、会員位置確認手段７、位置情報登録手段９、連絡時間変更手段１０、判定レベル変更手段１１を機能的に有する。
【００２６】
次に本発明に係わる予定行事実施可否決定システムを用いた行事実施可否決定情報の情報提供方法について、図３に示すフローチャートに沿って説明する。
【００２７】
会員である行事開催者あるいは幹事が、行事開催者あるいは幹事である会員は、携帯する携帯電話等の行事情報送受信手段２に会員番号、行事開催地、開催内容、開催日時、行事開催地への移動手段、出発する位置または駅、行事開催実施可否決定通知時間（連絡希望時間）等の行事情報を入力して、情報提供サーバＳに送信する。行事情報を受信した会員確認演算手段６は会員データ記憶手段６ａから会員データを呼び出し、行事情報の会員番号と照合し、会員であるか否かの判定を行う。会員であると判定されると、行事情報は行事情報収集演算手段４に送信され、記憶される（Ｓ１）。
【００２８】
行事情報を受信した行事情報収集演算手段４は、行事情報の中から行事開催地を取り込み、この行事開催地が登録されているか否かを判断する（Ｓ２）。
予め登録されている場合には、行事情報収集演算手段４と信号授受が可能で行事開催地情報が記憶された記憶手段（図示せず）から行事開催地情報を呼び出す（Ｓ３）。
登録されていない場合には、外部機関が管理する行事開催地に関する情報を記憶する地図情報を記憶する記憶手段（図示せず）から、行事開催地情報を取り込む（Ｓ４）。
【００２９】
行事情報送受信手段２から行事情報送信時発信されるＧＰＳ位置確認あるいは登録時点と行事開催場所への出発駅（点）とが異なる場合は、住所あるいは出発点を行事情報送受信手段２へ入力し、会員位置確認手段７は、登録者の位置をＧＰＳ確認または出発駅等の確認にて登録者の行事への参加時の出発点を確認し、位置情報登録手段９に登録する（Ｓ５）。
行事情報送受信手段２から送信された出発点からの移動手段情報を受信した行事情報収集演算手段４は、移動手段情報に従い、電車等を利用するのか、自動車を利用するのか判断する（Ｓ６）。
電車の場合は、交通情報センターのサーバの記憶装置３ｂに記憶された電車等の運行状況データを取り込み、電車等の運行状況の確認、移動時間の確認を行う（Ｓ７）。
自動車の場合は、交通情報センターのサーバの記憶装置３ｂに記憶された道路渋滞情報を取り込み、道路渋滞状況の確認、移動時間の確認を行う（Ｓ８）。
【００３０】
行事情報収集演算手段４は、Ｓ７における電車等の運行状況の確認・移動時間の確認の結果、あるいはＳ８における道路渋滞状況の確認・移動時間の確認の結果と、行事情報送受信手段２から送信された連絡希望時間とを比較し、問題有無の確認を行う（Ｓ９）。
行事情報収集演算手段４は、問題有りの場合には、所要時間を加味して、連絡時間の修正を行い、新たな連絡時間の設定を行う（Ｓ１０）。
行事情報収集演算手段４は、気象庁が管理するサーバの記憶装置３ａから気象情報を取り込み、開催時刻から８時間程度の天気予測および予め登録された行事内容から、後述するアルゴリズムにより行事の実施あるいは中止の決定を行う（Ｓ１１）。
【００３１】
行事情報収集演算手段４からの指令により、撮像手段１２ａは、行事開催地が登録されていれば現状の行事開催地を撮像し、行事開催地画像情報として、情報送信手段１２ｂを介して行事情報収集演算手段４に送信する（Ｓ１２）。
行事情報収集演算手段４は、行事実施可否情報を連絡希望時間あるいは変更された連絡時間に行事開催地画像情報を付して、行事関連情報送信手段５に送信する（Ｓ１３）。
行事実施可否情報および行事開催地画像情報は、情報提供装置１３を介して、行事開催者あるいは幹事である会員が携帯する行事情報送受信手段２で受信される（Ｓ１４）。
【００３２】
行事開催者あるいは幹事である会員は、予定行事の実施あるいは中止を決定サーバ２が決定した行事の実施・中止の決定を行事情報送受信手段２で受け、さらにはグランド等の現状の状況を動画・静止画等で確認し、最終決断をする。
【００３３】
また、上記Ｓ１１において、行事情報収集演算手段４は、次のようなアルゴリズムにより行事の実施可否決定を行うが、そのアルゴリズムに付いて説明する。図４では、その行事が、ソフトボール、野球等の場合、硬式テニスの場合、ゴルフの場合について記載する。その他には、キャンプ、バーベキュー、ハイキング、登山、遊園地等のレクリェーションおよび運動会、サッカー、ラグビー等が考えられる。行事情報送受信手段２としての携帯電話により登録した開催地の天気予測を、気象庁のサーバ３ａから入手し、行事の開催内容毎に予め設定した実施・中止アルゴリズムにより実施可否を決定する。
【００３４】
アルゴリズムの一例として、図４に示すように、ソフトボール、野球等の場合の条件は、  ・開催時間内の５０％以上の時間帯で５ｍｍ／ｈ以上の雨あるいは雪であれば中止  ・風速１０ｍ／ｓ以上の風であれば中止、硬式テニスの場合の条件は、  ・開催時間内の２０％以上の時間帯で３ｍｍ／ｈ以上の雨、雪であれば中止  ・風速５ｍ／ｈ以上であれば中止、ゴルフの場合の条件は、  ・開催時間内の８０％以上の時間帯で２０ｍｍ／ｈ以上の雨であれば中止  ・開催時間内の３０％以上の時間帯で５ｍｍ／ｈ以上の雪であれば中止  ・開催時間内の３０％以上の時間帯で雷の発生があれば中止  ・風速１０ｍ／ｈ以上であれば中止などである。このようなアルゴリズムにより行事情報収集演算手段４が決定した行事の実施・中止（実施可否）情報は、行事関連情報発信装置５を経由し、携帯電話２に発信される。
【００３５】
上述のような本発明に係わる予定行事実施可否決定システムによれば、会員である行事開催者あるいは幹事が、自宅から遠方で行事を特に屋外で行う場合、前日から現地の天気、交通機関の状況を自ら確認する作業が軽減され、かつ、電子文書・画像等での実施・中止の連絡を受信でき、これに必要事項を追記して、行事参加者はじめ関係者に同報で発信することもできる。また、移動手段毎の交通情報も同時に入手ができ、交通異常が発生している場合等には、予定時間より早めの連絡を受けることもでき、遅刻等も軽減される。従って、とりあえず現地に出向き現地の状況を確認してから実施・中止の決断をすることも必要なくなる。
【００３６】
【発明の効果】
本発明に係わる予定行事実施可否決定システムによれば、遠隔地におり会員である行事開催者あるいは幹事が、入力手段により入力し、行事開催者あるいは幹事に代わって、自動的に行事開催時間の天候、風速等入力データを基に、予定行事の実施可否を決定し、指定時間に携帯電話、ＰＤＡ等の携帯端末またはパソコン等に連絡してくれ、実施可否の決定を行うために現地との電話連絡、交通機関の状態調査等の手間が省けて、確実に情報が入手できる予定行事実施可否決定システムを提供することができる。
【図面の簡単な説明】
【図１】本発明に係わる予定行事実施可否決定システムの概念図。
【図２】本発明に係わる予定行事実施可否決定システムに用いられるサーバの概念図。
【図３】本発明に係わる予定行事実施可否決定システムを用いた情報提供方法のフローチャート図。
【図４】本発明に係わる予定行事実施可否決定システムに用いられるアルゴリズム図。
【符号の説明】
１  予定行事実施可否決定システム
２  行事情報送受信手段
３  外部関係機関記憶手段
３ａ  記憶装置
３ｂ  記憶装置
４  行事情報収集演算手段
５  行事関連情報送信手段
６  会員確認演算手段
６ａ  会員データ記憶手段
７  会員位置確認手段
８  ＧＰＳ基地局
９  位置情報登録手段
１０  連絡時間変更手段
１１  判定レベル変更手段
１２  画像情報送信手段
１２ａ  撮像手段
１２ｂ  情報送信手段
１３  情報提供装置
Ｓ  情報提供サーバ
Ｓ１  ＣＰＵ
Ｓ２  記憶装置
Ｓ３  通信インターフェイス
【図１】
2004164198.tif 000003
【図２】
2004164198.tif 000004
【図３】
2004164198.tif 000005
【図４】
2004164198.tif 000006